(57)【要約】【課題】      クリーンブースの軽天バーを吊り支持する吊りボルトを用いて枠材を固定し，これに足場板を架設配置するようにして，軽天バーに足場板を載せることに伴う問題点を解消する。【解決手段】  横片３１に側部に向けて開口するボルト挿通孔３２を，縦片３３に横向きボルト３４を有するＬ字状固定金具３を形成し，横片３１のボルト挿通孔３２に吊りボルト１を受け入れ，上下の中間挿入ナット５によって横片３１を挟着する一方，縦片３３の横向きボルト３４に縦面の透孔２１を通してナット６によって締着することによって穴開きアングル材による枠材２を固定して該枠材２を複数の吊りボルト１に架設配置し，この枠材２に直交して足場板を載置するようにする。吊りボルト１を用いて足場板７の設置を簡単な作業で効率よく行なうことができる。【選択図】    図５
2006283514.tif 000002
【特許請求の範囲】
【請求項１】
足場板や配管等を架設配置する枠材を天井上に設置自在とした枠材支持の構造であって，建物の構造躯体から天井上に垂下した吊りボルトと，横片にボルト挿通孔を且つ縦片に横向きボルトをそれぞれ配置したＬ字固定金具とを備え，該Ｌ字固定金具の横片を吊りボルトに上下のナットで挟着することによって該Ｌ字固定金具を吊りボルトの長手方向所定位置に固定し且つ上記枠材にボルト受入自在に配置したボルト孔を上記縦片の横向きボルトに挿通し該枠材の外側から横向きボルトにナットを螺着することによって該枠材を上記Ｌ字固定金具に固定してなることを特徴とする枠材支持構造。
【請求項２】
上記Ｌ字固定金具における横片のボルト挿通孔を，該横片の側部に向けて開口するように平面Ｌ字状に配置してなることを特徴とする請求項１に記載の枠材支持構造。
【請求項３】
上記吊りボルトとＬ字固定金具に加えて，該Ｌ字固定金具と上位のナット間に介装したボルト挿通孔を有する座板を備えるとともにそのボルト挿通孔を座板の側部に向けて開口するように平面Ｌ字状に配置してなることを特徴とする請求項１又は２に記載の枠材支持構造。
【請求項４】
上記Ｌ字固定金具の横片を吊りボルトに挟着する上下双方又は一方のナットを，吊りボルトの長手方向中間位置に取付自在の中間挿入ナットとしてなることを特徴とする請求項１，２又は３に記載の枠材支持構造。
【発明の詳細な説明】
【技術分野】
【０００１】
本発明は，例えば建物の天井スペースや建物内に設置するクリーンルーム等構築物の天井の上に足場板や配管等を架設配置するための枠材を設置するに用いる枠材支持構造に関する。
【背景技術】
【０００２】
建物内に設置する構築物，例えばクリーンルームにあっては，構築物に対する空調等の工事を行なうために構築物の作業用に足場板を架設配置する必要があるところ，該足場板の架設配置は，一般に天井構造をなす軽天バー材上にこれを載置することによって複数の軽天バー材上に足場板を架設配置し，必要に応じて安全バンドで該足場板を軽天バー材に固定するものとされている。
【０００３】
また足場設置に関する下記特許文献によれば，例えば上下左右の枠材を枠組みした足場枠体を形成し，該足場枠体の上枠をコンクリートスラブに設置したリング状の取付金具に挿通支持するとともに該足場枠体に載置することによって複数の足場枠体に足場板を架設配置するようにしたものが提案されている。
【０００４】
【特許文献１】特開平８−２７５３２８号公報
【発明の開示】
【発明が解決しようとする課題】
【０００５】
しかし乍ら，前者のものは足場板を軽天バー上に架設配置するものとされることによって，作業者が足場板に乗った状態で該足場板を支持する軽天バーに部分的な荷重が掛るため，軽天バーが変形して天井施工の障害となったり，軽天バーの固定が外れて床面に脱落する危険性や再工事の必要性が生じたりしており，また軽天には空調機器やそのダクト等が配置されることによって足場板の配置個所を必ずしも自由に設定できないために空調工事の効率化を阻害する要因となったり，更に軽天に天井ボードが設置されているときには，軽天バーを介して伝わる振動によって天井ボードが擦れて粉塵が発生するといった問題点を有している。
【０００６】
後者はコンクリートスラブ等の構造躯体に設置した取付金具に足場枠体を設置し，これに足場板を架設配置するものとされることによって，上記軽天バーに足場板を架設配置することによる問題点は解消し得るが，一方で足場板を設置するために，上枠に取付金具を挿入装着した状態で現場での足場枠体の枠組作業，構造躯体に対する取付金具を固定する受部材のアンカーボルトの設置作業，足場枠体を持上げ支持した状態の取付金具の固定作業等を必要とするため，その工事が大掛かりになる傾向が強く，特に工場等の建物内に後設置したり，設置後も生産対象物に応じてレイアウト変更が要求されるクリーンルーム等の施工時間が制約される構築物には不適であるという問題点を有している。
【０００７】
本発明はかかる事情に鑑みてなされたもので，その解決課題とするところは，可及的簡易な構造にして可及的短時間に作業性よく設置し得るとともにその設置箇所の自由度を可及的に確保し且つ揺動したりすることなく安定した支持をなし得るようにした，足場板や配管等を架設配置する枠材を支持するための枠材支持構造を提供するにある。
【課題を解決するための手段】
【０００８】
上記課題に添って本発明は，建物にはその構造躯体に各種配管，照明器具等の支持のために多数の吊りボルトが設置されており，またクリーンルームを設置するにはその軽天をなす軽天バーを吊り支持するために同じく吊りボルトが設置されていることが多いことから，これら既存の吊りボルトを枠材支持にそのまま利用してこれを枠材設置の自由度を確保した支持基体とし得るようにする一方，該吊りボルトに枠材を支持するに際して吊りボルトの所定位置に上下ナットで挟着する横片と枠材を支持する縦片とを有するＬ字固定金具を用いることによって，枠材を吊りボルトに対してそれぞれ横向きに装着自在とするとともに枠材の固定を可及的に横方向のナット締着作業によってなし得るようにするとともに該固定作業をナット締着によって行なうことによって揺動を防止して支持の安定性を確保し得るようにしたものであって，即ち請求項１に記載の発明を，足場板や配管等を架設配置する枠材を天井上に設置自在とした枠材支持の構造であって，足場板や配管等を架設配置する枠材を天井上に設置自在とした枠材支持の構造であって，建物の構造躯体から天井上に垂下した吊りボルトと，横片にボルト挿通孔を且つ縦片に横向きボルトをそれぞれ配置したＬ字固定金具とを備え，該Ｌ字固定金具の横片を吊りボルトに上下のナットで挟着することによって該Ｌ字固定金具を吊りボルトの長手方向所定位置に固定し且つ上記枠材にボルト受入自在に配置したボルト孔を上記縦片の横向きボルトに挿通し該枠材の外側から横向きボルトにナットを螺着することによって該枠材を上記Ｌ字固定金具に固定してなることを特徴とする枠材支持構造としたものである。
【０００９】
請求項２に記載の発明は，上記に加えて，Ｌ字固定金具の吊りボルトに対する装着を，枠材設置の高さに合せた吊りボルトの長手方向任意位置に直接になし得るものとして枠材支持の作業性と抜止め作用による支持の安定性を向上し得るものとするように，これを，上記Ｌ字固定金具における横片のボルト挿通孔を，該横片の側部に向けて開口するように平面Ｌ字状に配置してなることを特徴とする請求項１に記載の枠材支持構造としたものである。
【００１０】
請求項３に記載の発明は，同じく上記に加えて，Ｌ字固定金具の吊りボルトに対する上下ナットの挟着を可及的強固にしてナットの緩みを解消する座板を備えたものとするとともに該座板の吊りボルトに対する装着を該吊りボルトの長手方向任意位置に直接になし得るものとして枠材支持の作業性と抜止め作用による支持の安定性を向上し得るものとするように，これを，上記吊りボルトとＬ字固定金具に加えて，該Ｌ字固定金具と上位のナット間に介装したボルト挿通孔を有する座板を備えるとともにそのボルト挿通孔を座板の側部に向けて開口するように平面Ｌ字状に配置してなることを特徴とする請求項１又は２に記載の枠材支持構造としたものである。
【００１１】
請求項４に記載の発明は，同じく上記に加えて，Ｌ字固定金具の横片を挟着するナットの吊りボルトに対する装着を，同じくＬ字固定金具設置位置に合せて該吊りボルトの長手方向任位置に直接になし得るものとして枠材支持の作業性を向上し得るものとするように，これを，上記Ｌ字固定金具の横片を吊りボルトに挟着する上下双方又は一方のナットを，吊りボルトの長手方向中間位置に取付自在の中間挿入ナットとしてなることを特徴とする請求項１，２又は３に記載の枠材支持構造としたものである。
【００１２】
本発明はこれらをそれぞれ発明の要旨として上記課題解決の手段としたものである。
【発明の効果】
【００１３】
本発明は以上のとおりに構成したから，請求項１に記載の発明は，既存の吊りボルトを枠材支持にそのまま利用してこれを枠材設置の自由度を確保した支持基体とし得るようにする一方，該吊りボルトに枠材を支持するに際して吊りボルトの所定位置に上下ナットで挟着する横片と枠材を支持する縦片とを有するＬ字固定金具を用いることによって，枠材を吊りボルトに対してそれぞれ横向きに装着自在とするとともに枠材の固定を可及的に横方向のナット締着作業によってなし得るようにするとともに該固定作業をナット締着によって行なうことによって揺動を防止して支持の安定性を確保して，可及的簡易な構造にして可及的短時間に作業性よく設置し得るようにした，足場板や配管等を架設配置する枠材を支持するための枠材支持構造を提供することができる。
【００１４】
請求項２に記載の発明は，上記に加えて，Ｌ字固定金具の吊りボルトに対する装着を，枠材設置の高さに合せた吊りボルトの長手方向任意位置に直接になし得るものとして枠材支持の作業性と抜止め作用による支持の安定性を向上したものとすることができる。
【００１５】
請求項３に記載の発明は，同じく上記に加えて，Ｌ字固定金具の吊りボルトに対する上下ナットの挟着を可及的強固にしてナットの緩みを解消する座板を備えたものとするとともに該座板の吊りボルトに対する装着を該吊りボルトの長手方向任意位置に直接になし得るものとして枠材支持の作業性と抜止め作用による支持の安定性を向上したものとすることができる。
【００１６】
請求項４に記載の発明は，同じく上記に加えて，Ｌ字固定金具の横片を挟着するナットの吊りボルトに対する装着を，同じくＬ字固定金具設置位置に合せて該吊りボルトの長手方向任位置に直接になし得るものとして枠材支持の作業性を向上したものとすることができる。
【発明を実施するための最良の形態】
【００１７】
以下図面の例に従って本発明を更に具体的に説明すれば，２は，例えば図示省略のクリーンルーム，特にこのうちのクリーンブースの軽天，即ち天井上に設置した，足場板７架設配置用の枠材であり，該枠材２は，構造躯体から天井上に垂下した吊りボルト１と，横片３１にボルト挿通孔３２を且つ縦片３３に横向きボルト３４をそれぞれ配置したＬ字固定金具３とを備えて吊りボルト１に吊り支持したものとしてあり，このとき上記Ｌ字固定金具３は，その横片３１を吊りボルト１に上下のナット５で挟着することによって該Ｌ字固定金具３を吊りボルト１の長手方向所定位置に固定し且つ上記枠材２にボルト受入自在に配置したボルト孔２１を上記縦片３３の横向きボルト３４に挿通し該枠材２の外側から該横向きボルト３４にナット６を螺着することによって該枠材２を上記Ｌ字固定金具３に固定したものとしてある。
【００１８】
本例にあって上記枠材２は，可及的単純形状でありながら足場板７載置のための強度を確保し得る鋼製のＬ字断面のアングル材を用いてあり，このとき該枠材２はその横面及び縦面にそれぞれ等間隔の長手方向に長孔とした透孔を透設した穴開きアングル材を用いることによって，その長孔を上記ボルト孔２１として該アングル材の長手方向任意位置で上記Ｌ字固定金具３の横向きボルト３４を挿通固定し得るようにしてある。
【００１９】
本例にあって吊りボルト１は，枠材２支持のために新たに設置する煩雑さを解消するために，例えば上記クリーンブースの軽天バー１２を支持するために，建物，特に工場建屋のコンクリートスラブや屋根構造材に設置することによって天井の上に垂下した軽天バー１２支持用のものをそのまま使用するものとしてある。
【００２０】
本例にあってＬ字固定金具３は，水平片をなす横片３１と垂直片をなす縦片３３とをＬ字状に配置した鋼製Ｌ字部材とし，上記横片３１には吊りボルト１を挿通する上記ボルト挿通孔３２を，縦片３３には上記横向きボルト３４をそれぞれ設置してあり，本例のＬ字固定金具３にあって，該ボルト挿通孔３２は，これを，横片３１の側部に向けて開口するように平面Ｌ字状に配置したものとしてあり，本例にあって該ボルト挿通孔３２は吊りボルト１の軸径より幅広にして横片３１の面内中央部に吊りボルト１を受け入れるように該中央部から横片３１の側端に至るように，例えばプレスの打抜き加工によって一連に透設したものとしてある。
【００２１】
また本例の上記縦片３３に設置した横向きボルト３４は，これを，Ｌ字部材の外側，即ち横片３１の突出方向とは逆の非横片側に向けてボルト軸を突出するように縦片３３を貫通してそのボルト頭が縦片３３に対接した位置で該ボルト頭を縦片３３に対して溶着することによってＬ字固定金具３と一体に固定したものとしてある。
【００２２】
また本例の上記Ｌ字固定金具３の横片３１を吊りボルト１に挟着する上下双方又は一方，本例にあっては双方のナット５は，これを，吊りボルト１の長手方向中間位置に取付自在の中間挿入ナットとしたものとしてある。このとき該中間挿入ナットは，側面を開口することによって吊りボルト１  の受け入れを自在とした上下２段にして相互に回動自在に対向面を係合したダブルナット状のものとしてある。
【００２３】
このとき本例の枠材２支持にあって，上記吊りボルト１とＬ字固定金具３に加えて，該Ｌ字固定金具３と上位のナット５間に介装したボルト挿通孔４１を有する座板４を備えるとともにそのボルト挿通孔４１を座板４の側部に向けて開口するように平面Ｌ字状に配置したものとしてあり，該ボルト挿通孔４１は，これを同じくプレスの打抜き加工によって一連に透設したものとしてある。
【００２４】
以上のように構成したＬ字固定金具３等のこれら支持部材を用いた，本例にあって足場板７を架設配置するための上記穴開きアングル材による枠材２の上記軽天バー１２の吊り支持用に設置された吊りボルト１への支持は，構造躯体から垂下した適宜の吊りボルト１の枠材２設置高さ合せた長手方向任意位置に，例えば上下のうちの下位ナット５を，その開口部を吊りボルト１に向けて差込むように取り付けてその上下２段のいずれかを回転することによって脱落を防止し，該下位のナット５上に横片３１を載置するようにそのボルト挿通孔３２に吊りボルト１を挿入してＬ字固定金具３を吊りボルト１に装着し，該Ｌ字固定金具３の横片３１上に座板４を載置するように同じくそのボルト挿通孔４１に吊りボルト１を挿入して該座板４を吊りボルト１に装着し，次いで上下のうち上位のナット５の開口部を吊りボルト１に向けて差込むように取り付けて，必要に応じて吊りボルト１に対するＬ字固定金具３の高さ位置を調整して上下ナット５を回転締着することによって該Ｌ字固定金具３を吊りボルト１の長手方向所定位置に固定し，次いでＬ字固定金具３の縦片３３に横向きに突設した横向きボルト３４を，本例にあって上記穴開きアングル材とした枠材２の縦面に等間隔に多数存在する適宜の長孔，即ちボルト孔２１に挿入するように，該枠材２を複数の吊りボルト１のＬ字固定金具３間に引掛け状に架設して該横向きボルト３４にそれぞれナット６を螺着することによって該枠材２を上記Ｌ字固定金具３に水平に固定するようにすればよく，このとき枠材２の高さを変える必要があるときや，その水平が損われたときは再度上下ナット５の位置を上下方向に調整することによって関係するＬ字固定金具３の位置調整を行なうようにすればよい。
【００２５】
このように吊りボルト１に枠材２を設置した後に，枠材２に直交するように足場板７を載置し，必要に応じて安全バンド７１によって枠材２に対して該足場板７を固定すれば，足場板７は，軽天  の天井上方にして該軽天バー１２支持の吊りボルト１中間位置に固定された枠材２に載置され，該足場板７が軽天バー２１に載置されたり，空調機器やダクトによる位置の制約を受けることなくその設置をなし得る一方，その設置は吊りボルト１に対してＬ字固定金具３や座板４を上下ナット５によって締着して挟着する設置作業，横向きボルト３４に対する枠材２の引掛け状の架設とナット６  締着による螺着固定，足場板７の架設配置といった比較的短時間にして簡単な作業によって効率よく行なうことができる。また吊りボルト１に対するＬ字固定金具３の固定及びこれに対する枠材２の固定は，それぞれナット５，６の締着によって強固になされるから，枠材２を支持する装置として枠材２が揺動したりすることなくその支持の安定性を確保し，作業足場としての安全と該足場による所定作業を効率よく行なうことができる。
【００２６】
図中１２は，本例にあって吊りボルト１の下端に螺装し又は他に設置したブラケット１１によって支持した軽天バー，１３は該軽天バーに支持した天井ボード，６１は横向きボルトに螺着するナットのワッシャーを示す。
【００２７】
図示した例は以上のとおりとしたが，枠材を建物の配管等を架設配置する用途のものとして天井上に設置すること，吊りボルトをコンクリートスラブ等の構造躯体に対して専用に設置したものとすること，必要に応じて座板の使用を省略しワッシャーを使用すること，中間挿入ナットの使用を省略して吊りボルトの長手方向下端から六角ナットを螺装回転して所定位置に配置するようにすること，中間挿入ナットを使用するとき，上下一方を該中間挿入ナットとし他方，特に上位のナットを六角ナットによるものとすること，Ｌ字固定金具，必要に応じて用いる座板のボルト挿通孔を側部に向けて開口するＩ字状に配置したものとすること，同じく該ボルト挿通孔を吊りボルトの下端から吊りボルトを挿通する円形透孔によるものとすること，枠材を無孔のＬ字チャンネル材にして所定位置に横向きボルトを挿通するボルト孔を透設したものとすること等を含めて，本発明の実施に当って，枠材，吊りボルト，Ｌ字固定金具，横片のボルト挿通孔，上下のナット，縦片の横向きボルト，その螺着用のナット，必要に応じて用いる座板，中間挿入ナット等の各具体的構造，形状，材質，用途，これらの関係，これらに対する付加等は，上記発明の要旨に反しない限り様々な形態のものとすることができる。
【図面の簡単な説明】
【００２８】
【図１】天井（軽天）上に枠材を設置し足場板を載置した状態を示す部分斜視図である。
【図２】天井（軽天）上に枠材を設置した状態を示す側面図である。
【図３】天井（軽天）上に枠材を設置した状態を示す正面図である。
【図４】吊りボルトに枠材を支持した状態を示す斜視図である。
【図５】吊りボルト，Ｌ字固定金具，座板等の関係を示す分解斜視図である。
【符号の説明】
【００２９】
１  吊りボルト
１１  ブラケット
１２  軽天バー
１３  天井ボード
２  枠材
２１  ボルト孔
３  Ｌ字固定金具
３１  横片
３２  ボルト挿通孔
３３  縦片
３４  横向きボルト
４  座板
４１  ボルト挿通孔
５  中間挿入ナット
６  ナット
６１  ワッシャー
７  足場板
７１  安全バンド
【図１】
2006283514.tif 000003
【図２】
2006283514.tif 000004
【図３】
2006283514.tif 000005
【図４】
2006283514.tif 000006
【図５】
2006283514.tif 000007